(57)【要約】【課題】本発明は、印刷回路基板において空間占有率が小さいイヤホンインタフェース回路及びその回路を応用したオーディオプレイヤーを提供することを目的とする。【解決手段】本発明に係るイヤホンインタフェース回路は、第一イヤホンジャック、第二イヤホンジャック、第一電解コンデンサー、第二電解コンデンサーを備える。第一イヤホンジャックは、第一イヤホンジャックに伝送された右チャネルと左チャネルとのオーディオ信号との干渉を防止する第一干渉防止ユニットを備え、第二イヤホンジャックは、第二イヤホンジャックに伝送された右チャネルと左チャネルとのオーディオ信号との干渉を防止する第二干渉防止ユニットを備える。【選択図】図１
2013214966.tif 000002
【特許請求の範囲】
【請求項１】
第一イヤホンジャックと、第二イヤホンジャックと、正極が右チャネルのオーディオ信号を受信し、負極が前記第一イヤホンジャックに接続される第一電解コンデンサーと、正極が左チャネルのオーディオ信号を受信し、負極が前記第一イヤホンジャックに接続される第二電解コンデンサーと、を備えるイヤホンインタフェース回路において、
前記第二イヤホンジャックは、前記第一電解コンデンサーの負極及び前記第二電解コンデンサーの負極に接続され、
前記第一イヤホンジャックは、第一干渉防止ユニットを備え、
前記第二イヤホンジャックは、第二干渉防止ユニットを備え、
前記第一干渉防止ユニットは、前記第一イヤホンジャックに伝送された右チャネルのオーディオ信号と左チャネルのオーディオ信号との干渉を防止し、
前記第二干渉防止ユニットは、前記第二イヤホンジャックに伝送された右チャネルのオーディオ信号と左チャネルのオーディオ信号との干渉を防止することを特徴とするイヤホンインタフェース回路。
【請求項２】
前記第一イヤホンジャックは、第一導電片、第二導電片、第一右チャネル端子及び第一左チャネル端子を備え、
前記第一右チャネル端子は、前記第一電解コンデンサーの負極に接続され、
前記第一左チャネル端子は、前記第二電解コンデンサーの負極に接続され、
前記第一導電片及び前記第二導電片は、それぞれ前記第一右チャネル端子及び前記第一左チャネル端子に弾性接触され、
前記第一干渉防止ユニットは、前記第一導電片と前記第二導電片との間に接続され、且つ前記第一導電片に伝送された右チャネルのオーディオ信号と前記第二導電片に伝送された左チャネルのオーディオ信号との干渉を防止し、
前記第二イヤホンジャックは、第三導電片、第四導電片、第二右チャネル端子及び第二左チャネル端子を備え、
前記第二右チャネル端子は、前記第一電解コンデンサーの負極に接続され、
前記第二左チャネル端子は、前記第二電解コンデンサーの負極に接続され、
前記第三導電片及び前記第三導電片は、それぞれ前記第二右チャネル端子及び前記第二左チャネル端子に弾性接触され、
前記第二干渉防止ユニットは、前記第三導電片と前記第四導電片との間に接続され、且つ前記第三導電片に伝送された右チャネルのオーディオ信号と前記第四導電片に伝送された左チャネルのオーディオ信号との干渉を防止することを特徴とする請求項１に記載のイヤホンインタフェース回路。
【請求項３】
前記第一干渉防止ユニットは、第一抵抗であり、
前記第二干渉防止ユニットは、第二抵抗であり、
前記第一抵抗及び前記第二抵抗の抵抗値は、所定値より大きい或いは等しいことを特徴とする請求項１または２に記載のイヤホンインタフェース回路。
【請求項４】
右チャネルのオーディオ信号を出力する第一オーディオ出力端と、左チャネルのオーディオ信号を出力する第二オーディオ出力端と、を備えるオーディオ回路と、
第一イヤホンジャックと、第二イヤホンジャックと、正極が前記第一オーディオ出力端に接続され、負極が前記第一イヤホンジャックに接続される第一電解コンデンサーと、正極が前記第二オーディオ出力端に接続され、負極が前記第一イヤホンジャックに接続される第二電解コンデンサーと、を備えるイヤホンインタフェース回路と、
を備えるオーディオプレイヤーにおいて、
前記第二イヤホンジャックは、前記第一電解コンデンサーの負極及び前記第二電解コンデンサーの負極に接続され、
前記第一イヤホンジャックは、第一干渉防止ユニットを備え、前記第二イヤホンジャックは、第二干渉防止ユニットを備え、
前記第一干渉防止ユニットは、前記第一イヤホンジャックに伝送された右チャネルのオーディオ信号と左チャネルのオーディオ信号との干渉を防止し、
前記第二干渉防止ユニットは、前記第二イヤホンジャックに伝送された右チャネルのオーディオ信号と左チャネルのオーディオ信号との干渉を防止することを特徴とするオーディオプレイヤー。
【請求項５】
前記第一イヤホンジャックは、第一導電片、第二導電片、第一右チャネル端子及び第一左チャネル端子を備え、
前記第一右チャネル端子は、前記第一電解コンデンサーの負極に接続され、
前記第一左チャネル端子は、前記第二電解コンデンサーの負極に接続され、
前記第一導電片及び前記第二導電片は、それぞれ前記第一右チャネル端子及び前記第一左チャネル端子に弾性接触され、
前記第一干渉防止ユニットは、前記第一導電片と前記第二導電片との間に接続され、且つ前記第一導電片に伝送された右チャネルのオーディオ信号と前記第二導電片に伝送された左チャネルのオーディオ信号との干渉を防止し、
前記第二イヤホンジャックは、第三導電片、第四導電片、第二右チャネル端子及び第二左チャネル端子を備え、
前記第二右チャネル端子は、前記第一電解コンデンサーの負極に接続され、
前記第二左チャネル端子は、前記第二電解コンデンサーの負極に接続され、
前記第三導電片及び前記第三導電片は、それぞれ前記第二右チャネル端子及び前記第二左チャネル端子に弾性接触され、
前記第二干渉防止ユニットは、前記第三導電片と前記第四導電片との間に接続され、且つ前記第三導電片に伝送された右チャネルのオーディオ信号と前記第四導電片に伝送された左チャネルのオーディオ信号との干渉を防止することを特徴とする請求項４に記載のオーディオプレイヤー。
【請求項６】
前記第一干渉防止ユニットは、第一抵抗であり、
前記第二干渉防止ユニットは、第二抵抗であり、前記第一抵抗及び前記第二抵抗の抵抗値は、所定値より大きい或いは等しいことを特徴とする請求項４または５に記載のオーディオプレイヤー。
【請求項７】
前記オーディオプレイヤーは、スピーカをさらに備え、
前記オーディオ回路は、検知端子、第三オーディオ出力端及び第四オーディオ出力端をさらに備え、
前記第三オーディオ出力端及び前記第四オーディオ出力端は、前記スピーカに接続され、
イヤホンインタフェース回路は、ゲート回路をさらに備え、
前記ゲート回路は、第一入力端、第二入力端及び出力端を備え、
前記第一入力端は、前記第一導電片に電気接続され、
前記第二入力端は、前記第三導電片に電気接続され、
前記出力端は、前記検知端子に電気接続されることを特徴とする請求項４〜６のいずれか1項に記載のオーディオプレイヤー。
【請求項８】
前記第一イヤホンジャック及び前記第二イヤホンジャックの両者に、イヤホンの挿入端子が挿入されない場合、前記オーディオ回路は、前記第一オーディオ出力端及び前記第二オーディオ出力端を介して、右チャネルのオーディオ信号及び左チャネルのオーディオ信号をそれぞれ出力し、前記第一導電片及び前記第二導電片は、それぞれ前記第一右チャネル端子及び前記第一左チャネル端子に弾性接触され、前記第一入力端及び前記第二入力端の両者が、高レベルの電圧信号を受信することによって、前記出力端は高レベルの電圧信号を出力して、前記検知端子が前記高レベルの電圧信号を受信することにより、前記第三オーディオ出力端及び前記第四オーディオ出力端が右チャネルのオーディオ信号及び左チャネルのオーディオ信号を前記スピーカにそれぞれ出力して、前記スピーカが発声し、
前記第一イヤホンジャックにイヤホンの挿入端子が挿入され且つ前記第二イヤホンジャックにイヤホンの挿入端子が挿入されない場合、前記第一導電片及び前記第二導電片は、それぞれ前記第一右チャネル端子及び前記第一左チャネル端子から分離され、前記第三導電片及び前記第四導電片は、それぞれ前記第二右チャネル端子及び前記第二左チャネル端子に弾性接触され、前記第一入力端が高レベルの電圧信号を受信せず、前記第二入力端が高レベルの電圧信号を受信することによって、前記出力端は高レベルの電圧信号を出力せず、前記検知端子が前記高レベルの電圧信号を受信しないことにより、前記第三オーディオ出力端及び前記第四オーディオ出力端は右チャネルのオーディオ信号及び左チャネルのオーディオ信号を前記スピーカにそれぞれ出力することを停止し、
前記第一イヤホンジャックにイヤホンの挿入端子が挿入されず且つ前記第二イヤホンジャックにイヤホンの挿入端子が挿入された場合、前記第一導電片及び前記第二導電片は、それぞれ前記第一右チャネル端子及び前記第一左チャネル端子に弾性接触され、前記第三導電片及び前記第四導電片は、それぞれ前記第二右チャネル端子及び前記第二左チャネル端子から分離され、前記第一入力端が高レベルの電圧信号を受信し、前記第二入力端が高レベルの電圧信号を受信しないことによって、前記出力端は高レベルの電圧信号を出力せず、前記検知端子は該高レベルの電圧信号を受信しないことにより、前記第三オーディオ出力端及び前記第四オーディオ出力端は右チャネルのオーディオ信号及び左チャネルのオーディオ信号を前記スピーカにそれぞれ出力することを停止し、
前記第一イヤホンジャック及び前記第二イヤホンジャックの両者に、それぞれイヤホンの挿入端子が挿入された場合、前記第一導電片及び前記第二導電片は、それぞれ前記第一右チャネル端子及び前記第一左チャネル端子から分離され、前記第三導電片及び前記第四導電片は、それぞれ前記第二右チャネル端子及び前記第二左チャネル端子から分離され、前記第一入力端及び前記第二入力端の両者が、高レベルの電圧信号を受信しないことによって、前記出力端は高レベルの電圧信号を出力せず、前記検知端子が前記高レベルの電圧信号を受信しないことにより、前記第三オーディオ出力端及び前記第四オーディオ出力端は右チャネルのオーディオ信号及び左チャネルのオーディオ信号を前記スピーカにそれぞれ出力することを停止することを特徴とする請求項７に記載のオーディオプレイヤー。
【発明の詳細な説明】
【技術分野】
【０００１】
本発明は、イヤホンインタフェース回路及びその回路を応用したオーディオプレイヤーに関するものである。
【背景技術】
【０００２】
通常、イヤホンインタフェース回路は、ＭＰ３プレイヤー、携帯電話、携帯式ＤＶＤプレイヤー等のオーディオプレイヤーに応用され、このイヤホンインタフェース回路には、２つのイヤホンジャックが設置されているものもある。これらイヤホンインタフェース回路は、第一電解コンデンサー、第二電解コンデンサー、第三電解コンデンサー、第四電解コンデンサー、第一イヤホンジャック及び第二イヤホンジャックを備える。第一電解コンデンサーの正極は、右チャネルのオーディオ信号を受信し、第一電解コンデンサーの負極は、第一イヤホンジャック内の右チャネル端子に接続される。第二電解コンデンサーの正極は、左チャネルのオーディオ信号を受信し、第二電解コンデンサーの負極は、第一イヤホンジャック内の左チャネル端子に接続される。第三電解コンデンサーの正極は、右チャネルのオーディオ信号を受信し、第三電解コンデンサーの負極は、第二イヤホンジャック内の右チャネル端子に接続される。第四電解コンデンサーの正極は、左チャネルのオーディオ信号を受信し、第四電解コンデンサーの負極は、第二イヤホンジャック内の左チャネル端子に接続される。
【０００３】
しかし、電解コンデンサーの体積は比較的大きいため、上述のイヤホンインタフェース回路のように、４つの電解コンデンサーを備える場合、印刷回路基板においてかなりの空間を占有する。従って、電子製品の小型化に不利である。
【発明の概要】
【発明が解決しようとする課題】
【０００４】
以上の問題点に鑑みて、本発明は、印刷回路基板において空間占有率が小さいイヤホンインタフェース回路及びその回路を応用したオーディオプレイヤーを提供することを目的とする。
【課題を解決するための手段】
【０００５】
前記課題を解決するために、本発明に係るイヤホンインタフェース回路は、第一イヤホンジャックと、第二イヤホンジャックと、正極が右チャネルのオーディオ信号を受信し、負極が前記第一イヤホンジャックに接続される第一電解コンデンサーと、正極が左チャネルのオーディオ信号を受信し、負極が前記第一イヤホンジャックに接続される第二電解コンデンサーと、を備える。前記第二イヤホンジャックは、前記第一電解コンデンサーの負極及び前記第二電解コンデンサーの負極に接続され、前記第一イヤホンジャックは、第一干渉防止ユニットを備え、前記第二イヤホンジャックは、第二干渉防止ユニットを備え、前記第一干渉防止ユニットは、前記第一イヤホンジャックに伝送された右チャネルのオーディオ信号と左チャネルのオーディオ信号との干渉を防止し、前記第二干渉防止ユニットは、前記第二イヤホンジャックに伝送された右チャネルのオーディオ信号と左チャネルのオーディオ信号との干渉を防止する。
【０００６】
また、前記課題を解決するために、本発明に係るオーディオプレイヤーは、右チャネルのオーディオ信号を出力する第一オーディオ出力端と、左チャネルのオーディオ信号を出力する第二オーディオ出力端と、を備えるオーディオ回路と、第一イヤホンジャックと、第二イヤホンジャックと、正極が前記第一オーディオ出力端に接続され、負極が前記第一イヤホンジャックに接続される第一電解コンデンサーと、正極が前記第二オーディオ出力端に接続され、負極が前記第一イヤホンジャックに接続される第二電解コンデンサーと、を備えるイヤホンインタフェース回路と、を備える。前記第二イヤホンジャックは、前記第一電解コンデンサーの負極及び前記第二電解コンデンサーの負極に接続され、前記第一イヤホンジャックは、第一干渉防止ユニットを備え、前記第二イヤホンジャックは、第二干渉防止ユニットを備え、前記第一干渉防止ユニットは、前記第一イヤホンジャックに伝送された右チャネルのオーディオ信号と左チャネルのオーディオ信号との干渉を防止し、前記第二干渉防止ユニットは、前記第二イヤホンジャックに伝送された右チャネルのオーディオ信号と左チャネルのオーディオ信号との干渉を防止する
【発明の効果】
【０００７】
本発明に係るイヤホンインタフェース回路及びその回路を応用したオーディオプレイヤーにおいて、第一イヤホンジャックと第二イヤホンジャックとが、第一電解コンデンサー及び第二電解コンデンサーを共用するので、従来の技術に比べて、２つの電解コンデンサーを省略できる。これにより、印刷回路基板における占有空間を節約して、電子製品を小型化することができる。また、第一イヤホンジャック及び第二イヤホンジャックに第一干渉防止ユニット及び第二干渉防止ユニットが設置されることによって、第一イヤホンジャックにイヤホンの挿入端子が挿入され且つ第二イヤホンジャックにイヤホンの挿入端子が挿入されない場合、第三導電片及び第四導電片は、それぞれ第二右チャネル端子及び第二左チャネル端子に弾性接触される。この時、第二干渉防止ユニットは、第三導電片に伝送された右チャネルのオーディオ信号と第四導電片に伝送された左チャネルのオーディオ信号との干渉を防止して、第一イヤホンジャックに挿入されたイヤホンの挿入端子にノイズ（雑音）が発生することを防止する。同様に、第一イヤホンジャックにイヤホンの挿入端子が挿入されず且つ第二イヤホンジャックにイヤホンの挿入端子が挿入された場合、第一導電片及び第二導電片は、それぞれ第一右チャネル端子及び第一左チャネル端子に弾性接触される。この時、第一干渉防止ユニットは、第一導電片に伝送された右チャネルのオーディオ信号と第二導電片に伝送された左チャネルのオーディオ信号との干渉を防止して、第二イヤホンジャックに挿入されたイヤホンの挿入端子にノイズ（雑音）が発生することを防止する。
【図面の簡単な説明】
【０００８】
【図１】本発明に係るオーディオプレイヤーの機能ブロック図である。
【発明を実施するための形態】
【０００９】
以下、図面に基づいて、本発明に係るイヤホンインタフェース回路及びその回路を応用したオーディオプレイヤーについて詳細に説明する。
【００１０】
図１に示したように、本発明に係るオーディオプレイヤー９００は、オーディオ回路１００、イヤホンインタフェース回路２００及びスピーカ３００を備える。
【００１１】
オーディオ回路１００は、第一オーディオ出力端１０、第二オーディオ出力端１２、検知端子１４、第三オーディオ出力端１６及び第四オーディオ出力端１８を備える。
【００１２】
イヤホンインタフェース回路２００は、第一電解コンデンサーＥＣ１、第二電解コンデンサーＥＣ２、第一イヤホンジャック２０、第二イヤホンジャック３０、第一フィルタ回路４２、第二フィルタ回路４４、第三フィルタ回路４６、第四フィルタ回路４８及びゲート回路（ｇａｔｅ  ｃｉｒｃｕｉｔ）５０を備える。
【００１３】
第一イヤホンジャック２０は、第一右チャネル端子２２、第一左チャネル端子２４、第一導電片２６、第二導電片２８及びオーディオグラウンド（Ａｕｄｉｏ  ＧＮＤ）を備える。第一電解コンデンサーＥＣ１の正極は、第一オーディオ出力端１０に接続され、第一電解コンデンサーＥＣ１の負極は、第一フィルタ回路４２を介して、第一右チャネル端子２２に接続される。第二電解コンデンサーＥＣ２の正極は、第二オーディオ出力端１２に接続され、第二電解コンデンサーＥＣ２の負極は、第二フィルタ回路４４を介して第一左チャネル端子２４に接続される。第一導電片２６及び第二導電片２８は、それぞれ第一右チャネル端子２２及び第一左チャネル端子２４に弾性接触される。
【００１４】
第二イヤホンジャック３０は、第二右チャネル端子３２、第二左チャネル端子３４、第三導電片３６、第四導電片３８及びオーディオグラウンド（Ａｕｄｉｏ  ＧＮＤ）を備える。第二右チャネル端子３２は、第三フィルタ回路４６を介して第一電解コンデンサーＥＣ１の負極に接続される。第二左チャネル端子３４は、第四フィルタ回路４８を介して第二電解コンデンサーＥＣ２の負極に接続される。第三導電片３６及び第四導電片３８は、それぞれ第二右チャネル端子３２及び第二左チャネル端子３４に弾性接触される。
【００１５】
ゲート回路５０は、第一入力端５２、第二入力端５４及び出力端５６を備える。第一入力端５２は、第一導電片２６に電気接続され、第二入力端５４は、第三導電片３６に電気接続され、出力端５６は、検知端子１４に電気接続される。
【００１６】
第三オーディオ出力端１６及び第四オーディオ出力端１８は、スピーカ３００に接続される。
【００１７】
第一イヤホンジャック２０及び第二イヤホンジャック３０の両者に、イヤホンの挿入端子（図示せず）が挿入されない場合、オーディオ回路１００は、第一オーディオ出力端１０及び第二オーディオ出力端１２を介して、右チャネルのオーディオ信号及び左チャネルのオーディオ信号をそれぞれ出力し、第一導電片２６及び第二導電片２８は、それぞれ第一右チャネル端子２２及び第一左チャネル端子２４に弾性接触され、第三導電片３６及び第四導電片３８は、それぞれ第二右チャネル端子３２及び第二左チャネル端子３４に弾性接触される。この時、第一入力端５２及び第二入力端５４の両者が、高レベルの電圧信号を受信することによって、出力端５６は高レベルの電圧信号を出力するので、検知端子１４は、該高レベルの電圧信号を受信する。これにより、オーディオ回路１００は、第三オーディオ出力端１６及び第四オーディオ出力端１８を介して、右チャネルのオーディオ信号及び左チャネルのオーディオ信号を、スピーカ３００にそれぞれ出力するので、該スピーカ３００は発声する。
【００１８】
第一イヤホンジャック２０にイヤホンの挿入端子が挿入され且つ第二イヤホンジャック３０にイヤホンの挿入端子が挿入されない場合、第一導電片２６及び第二導電片２８は、それぞれ第一右チャネル端子２２及び第一左チャネル端子２４から分離され、第三導電片３６及び第四導電片３８は、それぞれ第二右チャネル端子３２及び第二左チャネル端子３４に弾性接触される。この時、第一入力端５２は高レベルの電圧信号を受信せず、第二入力端５４が高レベルの電圧信号を受信することによって、出力端５６は高レベルの電圧信号を出力しないので、検知端子１４は、該高レベルの電圧信号を受信しない。これにより、オーディオ回路１００は、第三オーディオ出力端１６及び第四オーディオ出力端１８を介して、右チャネルのオーディオ信号及び左チャネルのオーディオ信号がスピーカ３００にそれぞれ出力されることを停止する。
【００１９】
第一イヤホンジャック２０にイヤホンの挿入端子が挿入されず且つ第二イヤホンジャック３０にイヤホンの挿入端子が挿入された場合、第一導電片２６及び第二導電片２８は、それぞれ第一右チャネル端子２２及び第一左チャネル端子２４に弾性接触され、第三導電片３６及び第四導電片３８は、それぞれ第二右チャネル端子３２及び第二左チャネル端子３４から分離される。この時、第一入力端５２は高レベルの電圧信号を受信し、第二入力端５４は高レベルの電圧信号を受信しないことによって、出力端５６は高レベルの電圧信号を出力しないので、検知端子１４は、該高レベルの電圧信号を受信しない。これにより、オーディオ回路１００は、第三オーディオ出力端１６及び第四オーディオ出力端１８を介して、右チャネルのオーディオ信号及び左チャネルのオーディオ信号がスピーカ３００にそれぞれ出力されることを停止する。
【００２０】
第一イヤホンジャック２０及び第二イヤホンジャック３０の両者にイヤホンの挿入端子が挿入された場合、第一導電片２６及び第二導電片２８は、それぞれ第一右チャネル端子２２及び第一左チャネル端子２４から分離され、第三導電片３６及び第四導電片３８は、それぞれ第二右チャネル端子３２及び第二左チャネル端子３４から分離される。この時、第一入力端５２及び第二入力端５４の両者が、高レベルの電圧信号を受信しないことによって、出力端５６は高レベルの電圧信号を出力しないので、検知端子１４は、該高レベルの電圧信号を受信しない。これにより、オーディオ回路１００は、第三オーディオ出力端１６及び第四オーディオ出力端１８を介して、右チャネルのオーディオ信号及び左チャネルのオーディオ信号がスピーカ３００にそれぞれ出力されることを停止する。
【００２１】
第一イヤホンジャック２０は、第一干渉防止ユニット（ａｎｔｉ−ｉｎｔｅｒｆｅｒｅｎｃｅ  ｕｎｉｔ）２９をさらに備え、第二イヤホンジャック３０は、第二干渉防止ユニット３９をさらに備える。
【００２２】
第一干渉防止ユニット２９は、第一導電片２６と第二導電片２８との間に接続され、且つ第一導電片２６に伝送された右チャネルのオーディオ信号と第二導電片２８に伝送された左チャネルのオーディオ信号との干渉を防止することに用いられる。
【００２３】
第二干渉防止ユニット３９は、第三導電片３６と第四導電片３８との間に接続され、且つ第三導電片３６に伝送された右チャネルのオーディオ信号と第四導電片３８に伝送された左チャネルのオーディオ信号との干渉を防止することに用いられる。
【００２４】
本実施形態において、第一干渉防止ユニット２９は、第一抵抗Ｒ１を備え、第二干渉防止ユニット３９は、第二抵抗Ｒ２を備える。第一抵抗Ｒ１及び第二抵抗Ｒ２の抵抗値は、所定値より大きい或いは等しいが、第一抵抗Ｒ１及び第二抵抗Ｒ２の抵抗値は１０００Ωであることが好ましい。前記所定値は、１０００オーム（Ω）である。
【００２５】
第一フィルタ回路４２及び第二フィルタ回路４４は、第一電解コンデンサーＥＣ１を通過して、第一右チャネル端子２２に伝送された右チャネルのオーディオ信号及び第二電解コンデンサーＥＣ２を通過して、第一左チャネル端子２４に伝送される左チャネルのオーディオ信号の中の直流成分及び高周波成分を濾過し、且つイヤホンの挿入端子が第一イヤホンジャック２０に挿入される時の過電圧及び静電気を保護する。
【００２６】
第三フィルタ回路４６及び第四フィルタ回路４８は、第一電解コンデンサーＥＣ１を通過して、第二右チャネル端子３２に伝送された右チャネルのオーディオ信号及び第二電解コンデンサーＥＣ２を通過して、第二左チャネル端子３４に伝送される左チャネルのオーディオ信号の中の直流成分及び高周波成分を濾過し、且つイヤホンの挿入端子が第二イヤホンジャック３０に挿入される時の過電圧及び静電気を保護する。
【００２７】
上述したイヤホンインタフェース回路２００において、第一イヤホンジャック２０と第二イヤホンジャック３０とが、第一電解コンデンサーＥＣ１及び第二電解コンデンサーＥＣ２を共用するので、従来の技術に比べて、２つの電解コンデンサーを省略できる。これにより、印刷回路基板における占有空間を節約して、電子製品を小型化することができる。
【００２８】
また、第一イヤホンジャック２０及び第二イヤホンジャック３０に第一干渉防止ユニット２９及び第二干渉防止ユニット３９が設置されることによって、第一イヤホンジャック２０にイヤホンの挿入端子が挿入され、第二イヤホンジャック３０にイヤホンの挿入端子が挿入されない場合、第三導電片３６及び第四導電片３８は、それぞれ第二右チャネル端子３２及び第二左チャネル端子３４に弾性接触される。この時、第二干渉防止ユニット３９は、第三導電片３６に伝送された右チャネルのオーディオ信号と第四導電片３８に伝送された左チャネルのオーディオ信号との干渉を防止して、第一イヤホンジャック２０に挿入されたイヤホンの挿入端子にノイズ（雑音）が発生することを防止する。
【００２９】
同様に、第一イヤホンジャック２０にイヤホンの挿入端子が挿入されず且つ第二イヤホンジャック３０にイヤホンの挿入端子が挿入された場合、第一導電片２６及び第二導電片２８は、それぞれ第一右チャネル端子２２及び第一左チャネル端子２４に弾性接触される。この時、第一干渉防止ユニット２９は、第一導電片２６に伝送された右チャネルのオーディオ信号と第二導電片２８に伝送された左チャネルのオーディオ信号との干渉を防止して、第二イヤホンジャック３０に挿入されたイヤホンの挿入端子にノイズ（雑音）が発生することを防止する。
【００３０】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００３１】
９００    オーディオプレイヤー
１００    オーディオ回路
２００    イヤホンインタフェース回路
３００    スピーカ
１０    第一オーディオ出力端
１２    第二オーディオ出力端
１４    検知端子
１６    第三オーディオ出力端
１８    第四オーディオ出力端
２０    第一イヤホンジャック
２２    第一右チャネル端子
２４    第一左チャネル端子
２６    第一導電片
２８    第二導電片
２９    第一干渉防止ユニット
３０    第二イヤホンジャック
３２    第二右チャネル端子
３４    第二左チャネル端子
３６    第三導電片
３８    第四導電片
３９    第二干渉防止ユニット
４２    第一フィルタ回路
４４    第二フィルタ回路
４６    第三フィルタ回路
４８    第四フィルタ回路
５０    ゲート回路
５２    第一入力端
５４    第二入力端
５６    出力端
ＥＣ１    第一電解コンデンサー
ＥＣ２    第二電解コンデンサー
【図１】
2013214966.tif 000003